(57)【要約】【課題】印しを刷り込んだ吸収性物品のための上面シート又はカバー材料を提供する。【解決手段】一実施形態では、女性用ケア製品は、カバー材料とそこに刷り込まれた印しとを収容するカバー層と、カバー層に結合された液体不透過性下部層と、カバー層及び下部層の間の吸収性コアとを含む。印しは、界面活性剤及び／又は植物性抽出物のないカバー層と比較してカバー層内への身体滲出物の吸収特性を増大させるのに有効な量の界面活性剤及び／又は植物性抽出物を含むインクから形成されている。【選択図】図１
2007509695.tif 000002
【特許請求の範囲】
【請求項１】
界面活性剤及び／又は植物性抽出物を用いてインクの印しが刷り込まれた使用者に向く表面と最底部表面とを含むカバー層と、
前記カバー層と前記最底部表面の間に配置された吸着層と、
を含むことを特徴とする吸収性物品。
【請求項２】
真空穿孔、ピン穿孔、水圧交絡、超音波、及びそれを組合せた方法によって穿孔されたカバー材料を含むことを特徴とする請求項１に記載の吸収性物品。
【請求項３】
前記穿孔されたカバー層は、各穿孔を囲んで前記使用者に向く表面から前記最底部表面まで延びるテーパ付開口部を含むことを特徴とする請求項２に記載の吸収性物品。
【請求項４】
前記印しは、第２の界面活性剤及び／又は第２の植物性抽出物を有するインクを含むことを特徴とする請求項１又は請求項２に記載の吸収性物品。
【請求項５】
前記界面活性剤は、前記カバー層の総重量の約０．１重量パーセント〜約３重量パーセントであり、及び／又は、前記植物性抽出物は、該カバー層の総重量の約０．０１重量パーセント〜約３０重量パーセントであることを特徴とする請求項１から請求項４のいずれか１項に記載の吸収性物品。
【請求項６】
前記界面活性剤は、約１０に等しいか又はそれよりも大きい親水性−親液性均衡数を含むことを特徴とする請求項１から請求項５のいずれか１項に記載の吸収性物品。
【請求項７】
前記穿孔されたカバー層の開口面積は、該カバー層の総面積に対して約５パーセント〜約３５パーセントであることを特徴とする請求項１から請求項６のいずれか１項に記載の吸収性物品。
【請求項８】
前記植物性抽出物は、カモミール、アロエベラ、ホホバ、ヒマワリ油、柑橘油、ニンジン油、アボカド油、アーモンド油、綿抽出物、ビタミン抽出物、及び以上の抽出物の少なくとも１つを含む組合せから成る群から選択されることを特徴とする請求項１から請求項７のいずれか１項に記載の吸収性物品。
【請求項９】
前記カバー層は、マクロエンボス加工されたものであることを特徴とする請求項１から請求項８のいずれか１項に記載の吸収性物品。
【請求項１０】
前記カバー層は、熱的カーデッドウェブ、通気結合ウェブ、スパンレース材料、穿孔フィルム、発泡体、及び以上の材料の少なくとも１つを含む組合せから成る群から選択された材料を含む下層に結合されていることを特徴とする請求項１から請求項９のいずれか１項に記載の吸収性物品。
【請求項１１】
前記カバー層は、界面活性剤及び／又は植物性抽出物で処理された下層に結合されていることを特徴とする請求項１から請求項１０のいずれか１項に記載の吸収性物品。
【請求項１２】
吸収性物品のカバー層を形成する方法であって、
ポリマーフィルムの使用者に向く表面にインクで刷り込んでそこに印しを形成する段階と、
前記使用者に向く表面から底面まで延びるテーパ付プロフィールを有する隆起を形成する孔を前記ポリマーフィルムに形成する段階と、
前記使用者に向く表面を界面活性剤及び／又は植物性抽出物で処理する段階と、
を含むことを特徴とする方法。
【請求項１３】
前記カバー層に孔を形成する段階は、
ポリマーフィルムを約４００℃よりも低い軟化温度まで加熱する段階と、
ポンプと流体連通した複数の穿孔を含む成形シート上に前記加熱したフィルムを給送する段階と、
前記成形要素と前記ポリマーフィルムの間に真空を印加し、該ポリマーフィルムの一部分を該成形要素内の前記複数の穿孔に流入させて前記孔を形成する段階と、
前記フィルムを冷却する段階と、
を含む真空穿孔工程を更に含む、
ことを特徴とする請求項１２に記載の方法。
【請求項１４】
前記植物性抽出物は、カモミール、アロエベラ、ホホバ、ヒマワリ油、柑橘油、ニンジン油、アボカド油、アーモンド油、綿抽出物、ビタミン抽出物、及び以上の抽出物の少なくとも１つを含む組合せから成る群から選択されることを特徴とする請求項１２又は請求項１３に記載の方法。
【請求項１５】
前記界面活性剤は、前記ポリマーフィルムの総重量の約０．１重量パーセント〜約３重量パーセントの量で存在し、前記植物性抽出物は、該ポリマーフィルムの総重量の約０．０１重量パーセント〜約３０重量パーセントの量で存在することを特徴とする請求項１２から請求項１４のいずれか１項に記載の方法。
【請求項１６】
前記フィルム又はカバー層は、ポリオレフィンを含むことを特徴とする請求項１から請求項１５のいずれか１項に記載の吸収性物品又は方法。
【請求項１７】
カバー材料とそこに刷り込まれた印しとを収容するカバー層、
を含み、
前記印しは、界面活性剤及び／又は植物性抽出物のないカバー層に比較して身体滲出物の該カバー層内への吸収特性を増大させるのに有効な量で該界面活性剤及び／又は植物性抽出物を含むインクから形成されており、
前記カバー層に結合した液体不透過性下部層と、
前記カバー層と前記下部層の間の吸着コアと、
を更に含むことを特徴とする女性用ケア製品。
【請求項１８】
前記界面活性剤を前記カバー層の総重量に基づいて約０．１〜約３重量パーセントの量で更に含み、及び／又は、前記植物性抽出物が、該カバー層の総重量に基づいて約０．０１〜約３０重量パーセントの量を構成していることを特徴とする請求項１７に記載の女性用ケア製品。
【請求項１９】
前記界面活性剤は、非イオン性であることを特徴とする請求項１から請求項１８のいずれか１項に記載のパーソナルケア物品、方法、又は女性用ケア製品。
【請求項２０】
前記インクの印しは、微粒子型インクを含むことを特徴とする請求項１から請求項１９のいずれか１項に記載のパーソナルケア物品、方法、又は女性用ケア製品。
【発明の詳細な説明】
【技術分野】
【０００１】
本開示は、一般的に吸収性物品に関し、より詳細には、印しを刷り込んだ吸収性物品のための上面シート又はカバー材料に関する。
【背景技術】
【０００２】
吸収性物品は、一般的に、使用者に向く表面を有する液体透過性カバー層と、外側に向く表面を有する液体不透過性下部層と、カバー層と下部層の間に介在して位置する吸収性コアとを含む。典型的には、カバー層は、一般的に疎水性のポリマー材料であり、これは、体液及び滲出物を吸収性コア内に受け入れることができる容易性を低減して害を及ぼす可能性がある。織布、不織布、網状フィルム、及びポリマーネットなど、並びにそれらの組合せのようないくつかの種類のカバー層が存在し、これらは、現在、例えば、パーソナルケア吸収性物品、例えば生理用ナプキン、月経用パッド、失禁用防護材、乳児、小児、又は成人ケアのためのおむつ又はトレーニングパンツ、包帯又は創傷被覆材、及び類似のパーソナルケア吸収性物品のような様々な用途に用いられている。
【０００３】
パーソナルケア吸収性物品の使用時に、月経体液又は尿などのような身体滲出物は吸収性コアに吸収されることになり、これは、吸収性物品を退色させる傾向があり、カバー材料を濡れた外観にする。このような状態は、一般的に望ましくなく、又は末端消費者に受け入れられない。むしろ末端消費者は、流体を吸収した後に吸収性物品が清潔な外観と乾燥した表面とをもたらすことを一般的に好むものである。
【０００４】
更に、一般的に、吸収性物品が有する場合がある特別な性質又は指示を使用前に末端消費者が確認することができることが望ましい。多くの場合に、末端消費者がバルク包装用指示又は一般的にそこに表示された製品情報なしに個々の吸収性物品を携行することが望ましくて便利である。すなわち、各個々の吸収性物品上に印刷された印しを有することが望まれている。しかし、カバー層上に印刷することは困難である。例えば、カバー層は、使用者の皮膚に面するので、印しの滲み及び／又は摩擦色落ちが使用者の皮膚に向けて起こる可能性があり、これは、体液の放出に関連する湿潤状態下で悪化する可能性がある。
従って、改善した吸収性特性を有する改良型カバー材料に対する必要性、並びに使用中に摩擦落ち又は滲みを起こさないカバー層上に表示される印しに対する必要性が依然として存在する。
【０００５】
【非特許文献１】Ｂｒｕａｎａｕｅｒ、Ｅｍｍｅｔ、及びＴｅｌｌｅｒ、米国化学学会誌、第６０巻、１９３８年、３０９頁
【発明の開示】
【０００６】
本明細書に開示するのは、一実施形態では、使用者に向く表面を含むカバー層と、最底部表面と、カバー層と最底部表面の間に配置された吸着層とを含む吸収性物品である。使用者に向く表面上には、界面活性剤及び／又は植物性抽出物を用いてインクの印しが刷り込まれている。
一実施形態では、吸収性物品のカバー層を形成する方法は、ポリマーフィルムの使用者に向く表面にインクを刷り込んでそこに印しを形成する段階と、使用者に向く表面から底面まで延びるテーパ付きプロフィールを有する隆起を形成する孔をポリマーフィルムに形成する段階と、孔を有する使用者に向く表面を界面活性剤及び／又は植物性抽出物で処理する段階とを含む。
【０００７】
一実施形態では、女性用ケア製品は、カバー材料とそこに刷り込まれた印しとを収容するカバー層と、カバー層に結合された液体不透過性下部層と、カバー層及び下部層の間の吸収性コアとを含む。印しは、界面活性剤及び／又は植物性抽出物のないカバー層と比較してカバー層内への身体滲出物の吸収特性を増大させるのに有効な量の界面活性剤及び／又は植物性抽出物を含むインクから形成されている。
上記及び他の特徴は、以下の詳細説明及び図面によって例示される。
【発明を実施するための最良の形態】
【０００８】
本発明で開示するのは、任意的に複数の孔を収容したポリマーフィルムカバー層を有する吸収性物品であり、界面活性剤及び／又は植物性抽出物で刷り込まれたインクの印しを有している（例えば、カバー層の上に被覆されるか又はインクの印しに含められる）。本明細書で用いる場合、「吸収性物品」という用語は、一般的に身体滲出物を吸収するのに用いる装置を意味し、より詳細には、着用者の身体に接触し、隣接し、又は身体内に配置して身体滲出物を吸収して収容することができる装置を意味する。従って、この用語は、以下に限定されるものではないが、おむつ、月経用パッド、タンポン、生理用ナプキン、失禁用パッド、及びトレーニングパンツなどのような吸収性物品、並びにワイプ、包帯、及び創傷被覆材を含む。
【０００９】
ここで図１を参照すると、女性用ケア防護材のために設計された全体的に１０で表された例示的な吸収性物品が示されている。吸収性物品１０は、女性の衛生のためのほぼ長円形の生理用ナプキンとして示される。しかし、吸収性物品は、パンティライナ、パンティシールド、又は当業技術で公知のあらゆる他の使い捨て吸収性物品とすることができ、卵形、砂時計形、側部直線形、包み込み、及び周囲密封構成のような他の形状も含むことができる。更に、吸収性物品は、一般的に様々な大きさ及び形状でもたらされ、厚さも様々とされることに注意すべきである。例えば、一部の実施形態では、吸収性物品１０は、長さが約１５０ミリメートル（ｍｍ）〜約３２０ｍｍ、幅が約６０ｍｍ〜約１２０ｍｍであり、端部が丸みを帯びた長円形である。更に、一部の実施形態では、吸収性物品の厚さ又はキャリパーは、約２０ｍｍよりも小さい。例えば、生理用ナプキンとして形成する場合、吸収性物品のキャリパーは、約１５ｍｍであることが好ましく、一部の実施形態では、約５ｍｍよりも小さく、一部の実施形態では、約４ｍｍよりも小さい。
【００１０】
図示の吸収性物品１０は、一般的に、使用者に向く表面１４を有する液体透過性カバー層１２と、外側に向く表面１８を有する液体不透過性下部層１６と、カバー層及び下部層、それぞれ１２及び１６の間に介在して位置する吸収性コア２０とを含む。本明細書で以下に説明するように、言葉（例えば、アロエ）及び／又は画像の印し２２が、カバー層１２上に刷り込まれる。カバー層１２はまた、実施形態の１つでは、それを通過して形成された複数の孔２４を収容し、吸収性コア２０内に体液をより容易に通過させる。図示のように、カバー１２及び下部層１６は、図示のように吸収性コア２０を超えて延びることができ、公知の技術を用いて全体的又は部分的のいずれかで周辺を互いに接合することができ、又は代替的に、カバー層１２は、それが吸収性物品１０を完全に包むように吸収性コア２０を取り囲むことができる。典型的には、接着剤結合、超音波結合、又は当業技術で公知の何らかの他の適切な接合方法により、カバー層１２を下部層１６に接合し、それによって実質的に吸収性コア２０をそこに封入する。
【００１１】
カバー層１２は、外観が衛生的で清潔であり、好ましくは不透明であって吸収性コア２０に収集されて吸収される身体排泄物を隠すようになっている。カバー層１２は、更に、良好な貫通性及び再濡れ特性を示し、身体排泄物をカバーから吸収性コア２０まで迅速に透過させることができるが、体液をカバー層１２を通って着用者の皮膚まで逆流させない。カバー層１２は、一般的に、単層、又は代替的に多層、及び／又は天然又は合成繊維から成るポリマーフィルムを含む。
【００１２】
例示的な実施形態では、カバー層１２は、熱可塑性ポリマー材料で形成されるか、又は少なくとも２つの非混和性ポリマーフィルム材料を含む配合物で形成される。カバー層１２を製造するのに適切なポリマー材料の代表的な非制限的リストには、以下に限定するように意図するものではないが、ポリプロピレン及びポリエチレンのようなポリオレフィンと、エチレン−ビニルアセテート（ＥＶＡ）、エチレン−プロピレン、エチレン−アクリレート、及びエチレン−アクリル酸及びその塩のようなポリオレフィンコポリマーと、ハロゲン化ポリマーと、ポリエステル及びポリエステルコポリマーと、ポリアミド及びポリアミドコポリマーと、ポリウレタン及びポリウレタンコポリマーと、ポリスチレン及びポリスチレンコポリマーなどが含まれる。多くの場合に、カバー層１２は、ポリオレフィン、特に、ポリエチレンとポリプロピレン及びエチレンのコポリマーとで作製される。
【００１３】
複数の層から成るカバー層１２の場合には、最上層（使用者に向く表面１４を有する）は、多層の最下層内及び／又はそれを通して延び、各それぞれの層の孔間に着用区域を有することができる。カバー層に対する最下層の透過性は、最上層の透過性にほぼ等しいか又はそれよりも高いことが好ましい。このようにして、体液は、吸収性コア２０内に容易に通ることができる。同様に、第２の層の濡れ性を第１の層が示す濡れ性よりも高くして、その材料をより吸収性にすることができる。
【００１４】
カバー層１２は、不織り、織り、積層体、発泡体、フィルム、繊維性の各構造体、又は以上のうちの少なくとも１つを含む混合物又は複合体とすることができる。カーディング工程、スパンボンド工程、又はメルトブローン工程によって様々な形態を調製することができる。スパンボンド工程は、紡糸口金の複数の細くて通常円形の毛管から溶融熱可塑性材料をフィラメントとして押出し、次に、押出したフィラメントの直径を急速に減少させることによって形成された直径の小さな繊維を意味する。メルトブローン工程は、複数の細くて通常円形のダイ毛管を通して、集束する高速の通常高熱気体（例えば、空気）流中に溶融熱可塑性材料を溶融糸又はフィラメントとして押出し、それによって溶融熱可塑性材料のフィラメントを細くし、直径を場合よってはミクロ繊維の直径まで減少させることによって形成された繊維を意味する。その後、メルトブローン繊維は、高速気体流によって運ばれ、收集表面上に堆積してランダムに分散したメルトブローン繊維のウェブを形成する。メルトブローン繊維はミクロ繊維であり、これは、連続又は不連続とすることができ、一般的に平均直径が１０マイクロメートルよりも小さく、收集表面上に堆積する時に一般的に粘着性である。
【００１５】
カバー層１２を不透明にするために、不織材料の表面積を比較的大きくすることが一般的に望ましいであろう。このように大きな表面積は、デニール（ｄ）が約３．０ｄに等しいか又はそれよりも小さく、代替的に約１．０ｄに等しいか又はそれよりも小さい繊維から不織材料を形成することによって適切に達成することができる。不織材料は、約０．３平方メートル／グラム（ｍ2／ｇ）に等しいか又はそれよりも大きく、代替的に約０．５ｍ2／ｇに等しいか又はそれよりも大きく、更に、代替的に約０．６ｍ2／ｇに等しいか又はそれよりも大きく約１．５ｍ2／ｇに等しいか又はそれよりも小さい表面積を適切に有することができる。一般的に、表面積が大きくなれば、不織材料は、より不透明に見えるであろう。繊維不織材料の表面積は、「ＡＳＴＭ  Ｄ  ４８２０−９２ａ」に標準化されているように、米国化学学会誌、第６０巻、１９３８年、３０９頁に記載のＢｒｕａｎａｕｅｒ、Ｅｍｍｅｔ、及びＴｅｌｌｅｒ（Ｂ．Ｅ．Ｔ．）の物理的気体吸着方法よって適切に判断することができる。吸着気体としてクリプトン及び予備乾燥温度として９０℃を用いて、多点（５点）静的容積法を用いることができる。不織物不透明性を向上させる別の方法は、白色フィラメントを生成することを助ける二酸化チタン（ＴｉＯ2）の利用であり、また、紡績工程で顔料を混合し、不透明性を増大させることができる異なる色の繊維を生成することができる。更に、繊維は、フィラメントに白色をもたらして不織材料の感触性も改善する炭酸カルシウムで処理することができる。
【００１６】
カバー層１２はまた、少なくとも２つの非混和性熱可塑性ポリマー成分の配合物で形成することができる。第１の熱可塑性ポリマー成分は、第１の融点温度を示すことができる連続相を形成することができる。連続相を形成するためには、第１の熱可塑性ポリマー成分は、層の総重量に基づいて層の約４５〜約９５重量パーセント（ｗｔ％）で存在し、より好ましくは、層の約６０〜約８０重量パーセントで存在することが好ましいと考えられる。分散相は、第２の融点温度を示す第２の熱可塑性ポリマー成分を含むことができる。第２の熱可塑性ポリマー成分は、層の約５重量パーセント〜約５５重量パーセントで存在し、より好ましくは、層の約２０重量パーセント〜約４０重量パーセント存在することが好ましいと考えられる。更に、第２の融点温度は、好ましくは第１の融点温度よりも低く、フィルムを第１の融点温度と第２の融点温度の間の温度まで加熱することを可能にし、第２の熱可塑性ポリマー成分が粘着性結合を形成することができるようにする。この結合は、カバー層１２の異なる部分間に形成することができ、又はそれは、カバー層１２と吸収性物品１０の別の要素との間とすることもできる。
【００１７】
カバー層１２に形成される孔２４は、カバー層１２（又は、多層カバー層１２を形成する個々の層）を通してランダムに又は均一に配列することができる。代替的に、孔２４は、吸収性物品１０のある一定の区域に選択的に限定され、例えば、吸収性物品１０内の幅の狭い縦方向バンド又はストリップに位置することができる。孔２４の大きさ、形状、及び数は、望ましい用途に応じて変えることができる。
孔２４は、ピン穿孔、ポリマーフィルムのスリット形成及び延伸処理、又は真空穿孔によってカバー層１２に形成することができ、図２に更に明確に示すように、得られる穿孔されたカバーは、開口区域及び複数の隆起２６を有する。隆起２６のプロフィールは、テーパ付きであることが好ましい。好ましい実施形態では、真空穿孔工程によって孔２４を形成する。
【００１８】
図３は、真空穿孔工程に適する装置を示している。装置は、一般的に、中心に配置されたアクスル５２によって両端に支持された回転円筒形ドラム５０を含む。ドラムの外側円筒形表面は、比較的摩擦係数が小さい高度研磨金属で形成されることが好ましい。成形要素５４は、ドラム５０の周りに装着される。成形要素５４は、ドラム上を滑るようになった一体化ユニットとして形成することができ、又はそれは、ドラムの周りを包み、いずれかの適切な方法、例えば、フィルムに作用する真空によって固定することができる。要素５４を回転させるために、要素自身に歯車駆動装置を用いることができ、又はその端部に設けたキャップによって滑車駆動装置を要素５４に連結することができる。真空チャンバ５６は、その軸線に沿ってドラム５０内に位置決めされ、成形要素５４の内面に接触するその周囲の限定された部分の上のドラムの表面で開放される。チャンバ５６の先端及び後端を実質的に密封するために、要素５４に対してドラム５０の表面の僅かに上を延びるゴム、グラファイト、又は他の適切な材料のストリップガスケットを用いることができる。チャンバ５６は、ドラム１０の周囲開口部を除くあらゆる点で密封され、いずれかの適切な方法でチャンバ５６に接続したポンプ装置５８によって排気することができる。チャンバ５６内に開口し、その一端に適切な連結取付け器具を設けることができるチャンバ５６の従来の排気ポートを、中心アクスル５２を通して設けることができる。チャンバ５６の開口部の間近に隣接し、かつ成形要素５４の反対側の表面から離間して、加熱ユニット６０は、ドラム５０の周囲の一部分の上に延びている。
【００１９】
作動時に、カバー層１２を形成するためのポリマーフィルムは、回転する成形要素上にロール６２から給送されるか、又は上述の予備処理のいずれかを最初に行うことができる。ポリマーフィルムは、穿孔工程の前に印しが刷り込まれていることが好ましい。刷り込み工程は、穿孔工程に対して連続的又は非連続的とすることができる。成形要素５４の回転により、フィルム１２は加熱器６０の下を通過し、ここで材料が軟化温度まで加熱され、それから真空チャンバ５６の上を通され、それによって熱可塑性材料は、成形要素５４に設けられた模様穿孔の中に均一に流入される。軟化温度は、ほぼ室温よりも高く約４００℃までであることが好ましく、滞留時間の関数である。真空チャンバ５６の直ぐ後に続く領域において、要素５４に合わせて成形されたフィルムには、用いた材料の物理的特性に応じて冷却又は固定作業を行うことができる。成形シートは、次に、要素１４の接線方向に配置された任意的な剥ぎ取り装置６４によって成形要素５４から剥ぎ取られ、回転巻戻しドラム６６に給送することができるであろう。ドラム６６には、遊びクラッチ構成を設け、巻戻し作業中にシート１２が歪むあらゆる可能性を排除することが好ましい。一実施形態では、処理ステーションを点６４と巻出し機の間に配置して穿孔した材料を処理することができる。この処理は、フィルムに生成した孔を損傷させないスプレー又は発泡処理のような技術によって加えることができる。更に、フィルムを事後乾燥して、巻取りの前の界面活性剤の移動を低減することができる。
【００２０】
カバー層１２の開口面積は、フィルムによって与えられる総面積に対して孔２４が占める面積として定義される。カバー層１２は、好ましくは開口面積が約５パーセント〜約３５パーセント、より好ましくは約１０パーセント〜約２５パーセントで生成され、各孔の孔径は、約１００マイクロメートル（μｍ）に等しいか又はそれよりも大きく、かつ約７００μｍに等しいか又はそれよりも小さい同等円直径（ＥＣＤ）である。孔径は、望ましい用途に応じて均一又は不均一とすることができる。
【００２１】
異なる複数の層で形成されたカバー層１２の場合には、各層は、上部層、下部層、及び存在するならば中間層を共穿孔するなどによって穿孔することが好ましい。このような共穿孔は、整合ロールピン穿孔工程、パターン／アンビルロールピン穿孔工程、及び真空穿孔などを含むいくつかの工程によって達成することができる。
代替的に、穿孔フィルムは、販売業者から得ることができる。適切な穿孔ポリマーフィルムには、「Ｔｒｅｄｅｇａｒ」によって供給される「Ｖｉｓｐｏｒｅ（登録商標）」穿孔フィルムを含むことができる。適切な穿孔フィルムには、以下に限定されるものではないが、「Ｔｒｅｄｅｇａｒ  Ｘ−６７９９」、「Ｔｒｅｄｅｇａｒ  Ｘ−６８４５」、「Ｔｒｅｄｅｇａｒ  Ｘ−６９２３」、「Ｔｒｅｄｅｇａｒ  Ｘ−６９４４」、及び「Ｔｒｅｄｅｇａｒ  Ｘ−６８４４」という名称で市販されているものが含まれる。ポリマーフィルムは、滑らかな雌側と、孔を囲む隆起のために幾分滑らかさに欠けることがある雄側とを有することができる。フィルムが穿孔されていれば、インクジェット印刷又はスプレーを用いて、フィルムの孔に損傷を与えることなくパターンを印刷することができる。
【００２２】
上述のように、孔２４を形成する前に、カバー層１２には、最初に印し２２を刷り込むことが好ましい。印しには、画像、使用上の指示、吸収性物品に特定の特別な性質の識別子、銘柄名、視覚的合図、他の情報及び／又は銘柄の識別子などを含むことができる。カバー層１２上又は層内に印しを印刷することにより、印しに対して最大のコントラストを得ることができ、それによって末端消費者の可読性が向上する。
【００２３】
図４及び図５には、例として異なる構成の蝶を示す２つの代表的な印し模様が示されている。以下で明らかになるように、審美的及び実用的な目的に応じて、文字通り限りない数の模様を選択することができる。
例示的な実施形態では、最初に、カバー層１２を形成するためのポリマーフィルムの内面及び／又は外面上に印刷される。一般的に、第１の層がその内面上に印刷され、この内面は、積層された多層構造の場合は第２の層と向き合う関係であり、又は吸収性コア２０と向き合う関係である。この構成は、印刷されたポリマーフィルムの耐摩耗性（摩擦色落ち耐性）を更に改善することができるので好ましいであろう。代替的に、内面上への裏刷を用いることができ、それによってインクが使用者に移動する危険性が更に減少する。
【００２４】
いずれかの印刷工程、例えば、フレキソ印刷、輪転グラビア印刷、インクジェット、又はこれらの工程の少なくとも１つを含む組合せを用いることができる。印し２２は、ハーフトーンを生成することによって得ることができる。すなわち、一般的な印刷工程は、ハーフトーン印刷とすることができる。本明細書で用いる場合、ハーフトーンという用語は、連続した濃淡のない色調を様々な大きさ、形状、及び／又は色調強度（調性）の複数の小さな個々の印しに分解することを意味する。
【００２５】
印しを形成するための印刷工程に用いるインクは、微粒子型インクであることが好ましい。選択するインクは、勿論、人間が使用するのに安全であり、環境に有害な作用を及ぼすべきではない。湿潤時でもインクがカバー層上に留まり、着用者の皮膚に移動しないことが好ましい。更に、インクは、意図する印刷工程に適切であることが望ましく、吸収性物品を形成するのに用いられる工程、例えば、真空穿孔工程及び同様の高温加熱工程の間に用いられる温度に対して温度耐性があることが好ましい。特に好ましいインクは、Ａｌｃｅ  Ｂｌａｎｃｏ  ＃２０、Ｅｓｑｕｉｎａ  ｃｏｎ  Ｃａｌｌｅ  ９、Ｎａｕｃａｌｐａｎ  ｄｅ  Ｊｕａｒｅｚ、Ｃ．ｐ．５３３７０  Ｅｄｏ．Ｄｅ  Ｍｅｘｉｃｏ所在の「Ｓｕｎｃｈｅｍｉｃａｌ  ｄｅ  Ｍｅｘｉｃｏ」から「Ｍ０３Ｚ−ＸＸＸ−ＦＦ」群として市販されており、ここで、ＸＸＸは、４８４（ブルー）、４８６（グリーン）、４８５（バイオレット）、４８７（ブラック）、４８９（ピンク）、９６８（ホワイト）とすることができる。更に、これらのインクの組合せを用いることもできる。
粒子状インクは、不活性顔料及び染料を含むことが好ましく、これらは、集合的に顔料と呼ばれ、乾燥重量基準で（インクの総乾燥重量に基づいて）約０．２５重量パーセント〜約４０重量パーセント、好ましくは、約１重量パーセント〜約１０重量パーセントのレベルで加えることができる。
【００２６】
適切な顔料には、アゾ染料（例えば、「ソルベント・イエロー１４」、「ディスパースド・イエロー２３」、及び「メタニル・イエロー」）、アントラキノン染料（例えば、「ソルベント・レッド１１１」、「ディスパースド・バイオレット１」、「ソルベント・ブルー５６」、及び「ソルベント・オレンジ３」）、キサンチン染料（例えば、「ソルベント・グリーン４」、「アシッド・レッド５２」、「ベーシック・レッド１」、及び「ソルベント・オレンジ６３」）、及びアジン染料（例えば、「ジェット・ブラック」）などが含まれる。他の適切な有機顔料には、デイリーライドイエローＡＡＯＴ（例えば、「ピグメント・イエロー１４  ＣＩ番号２１０９５」）、デイリーライドイエローＡＡＯＡ（例えば、「ピグメント・イエロー１２  ＣＩ番号２１０９０」）、「ハンザ・イエロー」、「ＣＩピグメント・イエロー７４」、「フタロシアニン・ブルー」（例えば、「ピグメント・ブルー１５」）、リソールレッド（例えば、「ピグメント・レッド５２：１  ＣＩ番号１５８６０：１」）、トルイジンレッド（例えば、「ピグメント・レッド２２  ＣＩ番号１２３１５」）、ジオキサジンバイオレット（例えば、「ピグメント・バイオレット２３  ＣＩ番号５１３１９」）、フタロシアニングリーン（例えば、「ピグメント・グリーン７  ＣＩ番号７４２６０」）、フタロシアニンブルー（例えば、「ピグメント・ブルー１５  ＣＩ番号７４１６０」）、及びナフトエ酸レッド（例えば、「ピグメント・レッド４８：２  ＣＩ番号１５８６５：２」）などが含まれる。無機顔料には、二酸化チタン（例えば、「ピグメント・ホワイト６  ＣＩ番号７７８９１」）、カーボンブラック（例えば、「ピグメント・ブラック７  ＣＩ番号７７２６６」）、酸化鉄（例えば、レッド、イエロー、及びブラウン）、酸化第二鉄ブラック（例えば、「ピグメント・ブラック１１  ＣＩ番号７７４９９」）、酸化クロム（例えば、グリーン）、及びフェロシアン化第二鉄アンモニウム（例えば、ブルー）などが含まれる。更に、以上の顔料の少なくとも１つを含む組合せも含まれる。
【００２７】
例示的な実施形態では、インクのカバー層１２上への刷り込み処理は、ポリマーフィルムを印刷するのに適切な費用効果、高速性、高品質印刷の適正な均衡をもたらすフレキソ印刷を含む。フレキソ印刷は、可撓性のある隆起ゴム版又感光性ポリマー版を用いて画像をフィルムに伝達する印刷技術である。可撓性のある版は、一般的に、低粘性インクを直接フィルム上に伝達する。
インクは、一般的に、低粘性担体に分散又は溶解される。例示的な溶媒は、ポリアミド、シェラック、ニトロ−セルロース、及びスチレン−マレイン酸など、並びにこれらの少なくとも１つを含む組合せのような一般的な結合剤の種類を含む脂肪族炭化水素である。一般的に、溶媒ベースのインクは、スチレン−マレイン酸、ロジン−マレイン酸、及びアクリル酸溶液のような、従来のフレキソ印刷結合剤よりも一般的に優れた耐久性を示す無触媒ブロックウレタン樹脂を含む。望ましい溶媒の配合物には、エチルアセテート、Ｎ−プロピルアセテート、イソプロピルアセテート、イソブチルアセテート、Ｎ−ブチルアセテート、及びこれらの少なくとも１つを含む配合物のような様々なアセテートと、エチルアルコール、イソプロピルアルコール、ノルマルプロピルアルコール、及びこれらの少なくとも１つを含む配合物を含む様々なアルコールと、例えば、テネシー州キングスポート所在の「Ｅａｓｔｍａｎ  Ｃｈｅｍｉｃａｌ」から得ることができる「Ｅｋｔａｓｏｌｖｅ（登録商標）ＥＰ」（エチレングリコールモノプロピルエーテル）、「ＥＢ」（エチレングリコールモノブチルエーテル）、「ＤＭ」（ジエチレングリコールモノメチルエーテル）、「ＤＰ」（ジエチレングリコールモノプロピルエーテル）、及び「ＰＭ」（プロピレングリコールモノメチルエーテル）、並びにこれらの少なくとも１つを含む組合せを含むグリコールエーテルとが含まれる。同じく用いることができる他のグリコールは、ミシガン州ミッドランド所在の「Ｄｏｗ  Ｃｈｅｍｉｃａｌ」から入手可能な「ＤＯＷＡＮＯＬ（登録商標）」である。例示的な溶媒の配合物は、インク組成物の総重量に基づいて約５０重量パーセント〜約７５重量パーセントのグリコールエーテルと、約２５重量パーセント〜約３５重量パーセントのＮ−プロピルアセテートと、約１５重量パーセント〜約２５重量パーセントのＮ−ブチルアセテートとの配合物とすることができる。
【００２８】
用いることができる適切な水性インクには、水−アンモニア中で安定とすることができて、更に補助溶剤としてアルコール、グリコール、又はグリコールエーテルを含むことができる乳剤が含まれる。一般的に、有機溶剤（それらを用いる場合には、例えば、乳剤の総重量に基づいて約７ｗｔ％に等しいか又はそれよりも少ない量、好ましくは約０．２５ｗｔ％〜約７ｗｔ％）を水性インクに加えることができる。例えば、アルコール（例えば、プロパン−２−オール）を加えて乾燥を速めると共に湿潤を助けることができ、グリコール（例えば、モノプロピレングリコール）を加えて乾燥を遅らせることができ、また、グリコールエーテル（例えば、ジプロピレングリコールモノメチルエーテル）を加えてフィルム形成を助けることができる。このような溶媒は、様々な会社から市販されている汎用化学製品とすることができる。一般的に、水性インクには、アクリル溶液及び分散コポリマーのような非架橋結合剤よりも耐久性に優れることができる自己架橋アクリルコポリマー乳剤が含まれる。
【００２９】
溶媒及び顔料以外に、インクはまた、結合剤を含むことができる。結合剤は、顔料のカバー層１２上での安定化を助けるものである。一般的に、顔料対結合剤比は、典型的には約１：２０〜約１：２であり、約１：１．７までとすることができる。
また、ワックスを含んで、印刷したポリオレフィン基体のインクの滑りを改善し、耐摩擦性を改善させることもできる。ワックスの一般的な分類には、動物（例えば、蜜蝋及びラノリン）、植物（例えば、カルナウバ及びカンデリラ）、鉱物（例えば、パラフィン及び微結晶）、及び合成（例えば、ポリエチレン、ポリエチレングリコール、及び「Ｔｅｆｌｏｎ（登録商標）」）が含まれる。任意的に、総インク製剤重量に基づいて約０．５重量パーセント〜約５重量パーセントのワックスを用いることができる。
【００３０】
印しがカバー層１２に刷り込まれ、場合によっては孔が形成された後に、カバー層１２には、スプレー、浸漬、スロットコーティング、ブラシ塗り、トランスファーコーティング、又は他の方法で界面活性剤及び／又は植物性抽出化合物を被覆し、液体が吸収性コア２０へ透過しやすくすることが好ましい。更に、界面活性剤及び／又は植物性抽出物の使用は、吸収性物品圧迫突出力のような工程摩擦を低減することができ、製造中に製品に損傷を与えないようにするのに十分であると考えられる。界面活性剤及び／又は植物性抽出物をインク組成物に加える場合には、それらは、インク組成物の総重量の約１０重量パーセント〜約５０重量パーセントを構成することができる。それらがカバー層上に配置されたインク組成物の上に（例えば、インクを含むカバー層全体又は一部分の上に）配置される場合には、界面活性剤は、カバー層１２の総重量の約０．１重量パーセント〜約３重量パーセントであることが好ましく、植物性抽出物は、カバー層１２の総重量の約０．０１重量パーセント〜約３０重量パーセントであることが好ましい。
【００３１】
界面活性剤及び／又は植物性抽出物は、身体滲出物を印刷区域で良好に吸収することができるように、水不溶性印し２２の疎水性の再方向付けを可能にする。その結果、界面活性剤及び／又は植物性抽出物を用いることにより、吸収性コア２０への全体的な吸着に影響を及ぼすことなく、印し密度を増大させることができる。この手法を用いて、濡れ性の低い区域及び選択的に高い区域の両方を有し、かつ流体を吸収ターゲット区域の方向に導くことを可能にするように製品を設計することができるので、流体吸収は良好に管理される。一実施形態では、この手法を用いてインクの濡れ性を変更して疎水性にし、それによって流体のための障壁を生成し、製品から流出する流体の量を低減するのを助けることができる。
【００３２】
界面活性剤及び／又は植物性抽出物の組合せの親水性／親液性均衡数（ＨＬＢ）は、約７に等しいか又はそれよりも大きく、より望ましくは、約１０に等しいか又はそれよりも大きく、より望ましくは、約１４に等しいか又はそれよりも大きい。本明細書で用いる場合、「親水性剤」という用語は、容易に水と会合することができる物質を意味し、「親液性薬剤」という用語は、コロイド系中の液体を引き付けることができる薬剤を意味し、分散された相が液体であって分散媒体を引き付けるコロイド系を説明するものである。一般的に測定ＨＬＢを持たない親水性剤を用いることもできる。このような親水性剤には、以下に限定されるものではないが、表面活性剤（又は、界面活性剤）を含むことができる。
【００３３】
また、一般的に測定ＨＬＢを持たない親水性剤を用いることもできる。このような親水性剤には、以下に限定されるものではないが、グリコール及びポリグリコールのようなジオールを含むことができる。適切な非イオン性界面活性剤には、以下に限定されるものではないが、Ｃ2-8ジオール及びポリグリコールなどが含まれる。一般的に、ジオールは、グリコール（Ｃ2及びＣ3ジオール）及びポリグリコールとすることができる。「ポリグリコール」という用語は、２つ又はそれよりも多くのグリコール分子を脱水することによって形成されるジヒドロキシエーテルを意味する。有用なポリグリコールの代表的な非制限的リストには、エチレングリコール、プロピレングリコール、ポリエチレングリコール、ポリプロピレングリコール、メトキシポリエチレングリコール、ポリブチレングリコール、ブチレンオキシド及びエチレンオキシドのブロックコポリマーなど、並びにこれらの少なくとも１つを含む組合せが含まれる。
【００３４】
他の適切な非イオン性界面活性剤には、脂肪酸エステルエトキシレート、脂肪酸エーテルエトキシレート、及びエトキシル化糖誘導体（例えば、エトキシル化脂肪酸ポリエステル、及びエトキシル化脂肪酸ソルビタンエステルなど）を含むエトキシレートなど、並びにこれらの少なくとも１つを含む組合せが含まれる。代表的なエトキシル化脂肪酸ソルビタンエステルには、ポリオキシエチレンソルビタンラウレート（ポリソルベート２０（ＨＬＢ：１６．７）及び２１（ＨＬＢ：１３．３）としても公知）、ポリオキシエチレンソルビタンパルミテート（ポリソルベート４０（ＨＬＢ：１５．６）としても公知）、ポリオキシエチレンソルビタンステアレイト（ポリソルベート６０（ＨＬＢ：１４．９）及び６１（ＨＬＢ：９．６）としても公知）、ポリオキシエチレンソルビタントリステアレイト（ポリソルベート６５（ＨＬＢ：１０．５）としても公知）、ポリオキシエチレンソルビタンオレエート（ポリソルベート８０（ＨＬＢ：１５．０）及び８１（ＨＬＢ：１０．０）としても公知）、及びポリオキシエチレンソルビタントリオレエート（ポリソルベート８５（ＨＬＢ：１１．０）としても公知）など、並びにこれらの少なくとも１つを含む組合せが含まれる。以上のエトキシル化脂肪酸ソルビタンエステルのうちでは、ポリオキシエチレン−２０−ソルビタンモノラウレートが一般的に好ましい。
【００３５】
エトキシル化脂肪酸エーテルの別の一般的に用いられる部類は、ポリオキシエチレンアルキルエーテル類である。有用なポリオキシエチレンアルキルエーテルの代表的な非制限的リストには、ポリオキシエチレンラウリルエーテル、ポリオキシエチレンステアリルエーテル（ステアレス−２及びステアレス−１０（ＨＬＢ：１２．４）などとしても公知）、ポリオキシエチレンセチルエーテル（セテス−２及びセテス−１０（ＨＬＢ：１２．９）などとしても公知）、及びポリオキシエチレンオレイルエーテル（オレス−２（ＨＬＢ：１２．４）及びオレス−１０などとしても公知）など、並びにこれらの少なくとも１つを含む組合せが含まれる。以上のポリオキシエチレンアルキルエーテルのうちでは、ポリオキシエチレンステアリルエーテルが最も一般的に好ましい。
【００３６】
脂肪酸エステルの別の一般的に用いられる部類は、ソルビタン脂肪酸エステル類とすることができる。有用なソルビタン脂肪酸エステルの代表的な非制限的リストには、ソルビタンモノオレエート（ＨＬＢ：４．３）、ソルビタンモノステアレイト（ＨＬＢ：４．７）、ソルビタンモノパルミテート（ＨＬＢ：６．７）、ソルビタンモノラウレート（ＨＬＢ：８．６）、ソルビタントリステアレイト（ＨＬＢ：２．１）、ソルビタントリオレエート（ＨＬＢ：１．８）、並びにこれらの少なくとも１つを含む組合せが含まれる。以上のソルビタン脂肪酸エステルのうちでは、ソルビタンモノオレエートが最も一般的に好ましい。
【００３７】
エトキシル化糖誘導体の別の一般的に用いられる部類は、メチルグルコース誘導体類とすることができる。有用なメチルグルコース誘導体の代表的な非制限的リストには、メチルグルコース−１０、メチルグルコース−２０、メチルグルコース−２０ジステアレイト、メチルグルコースジオレエート（ＨＬＢ：５）、メチルグルコースセスキステアレイト（ＨＬＢ：６）、ＰＥＧ−１２０メチルグルコースジオレエート、ＰＥＧ−２０メチルグルコースセスキステアレイト、並びにこれらの少なくとも１つを含む組合せが含まれる。
【００３８】
市販の適切な界面活性剤の組合せには、米国デラウェア州ウィルミントン所在のＩＣＩの一部門である「Ｕｎｉｑｅｍａ」から登録商標「ＳＰＡＮ」（ソルビタン誘導体）、「ＴＷＥＥＮ」（ポリソルベート誘導体）、及び「ＢＲＩＪ」（ポリオキシエチレンオレイルエーテル）の下で販売されているもの、及び米国ニュージャージー州エジソン所在の「Ａｍｅｒｃｈｏｌ  Ｃｏｒｐｏｒａｔｉｏｎ」から登録商標「ＧＬＵＣＡＭ」（メチルグルコースエーテル）、「ＧＬＵＣＡＴＥ」（メチルグルコース誘導体）、及び「ＧＬＵＣＡＭＡＴＥ」（メチルグルコースのポリエチレングリコールエーテル）の下で販売されている界面活性剤が含まれる。
【００３９】
適切な植物性抽出物には、以下に限定されるものではないが、カモミール、アロエベラ、ホホバ、ヒマワリ油、柑橘油、ニンジン油、アボカド油、アーモンド油、綿抽出物、及びビタミン抽出物など、並びにこれらの少なくとも１つを含む組合せが含まれる。ポリマーフィルムカバー層１２はまた、ビタミンＥなどのようなビタミン抽出物などで処理することができる。
界面活性剤及び植物性抽出物は、個々に用いることができ、又は上述の界面活性剤及び／又は植物性抽出物の少なくとも１つを含む組合せで用いることもできることに注意されたい。更に、これらは、インク中に分散させることができ、又はカバー層の全て又は一部分上のコーティングとすることもできる。
【００４０】
更に、カバー層１２には、本開示の目的を達成することを妨げることのない量で他の成分及び添加剤を加えることができ、これには、以下に限定されるものではないが、酸化防止剤、ＵＶ吸収剤、潤滑剤、粘着防止剤及び滑剤、可塑剤、核剤、帯電防止剤、難燃剤、顔料、染料、無機又は有機充填剤、並びにこれらの少なくとも１つを含む組合せが含まれる。カバー層１２は、必要に応じて抗菌的に有効な量のトリクロサン又は類似の抗菌剤を含むことができる。
【００４１】
吸収性コア２０は、レーヨン繊維と、綿繊維及び木質パルプ繊維のような天然繊維と、ポリエステル繊維、ポリアミド繊維、ポリオレフィン繊維のような合成繊維などと、並びにこれらの少なくとも１つを含む組合せとを含む様々な材料で作ることができる。繊維は、例えば、鞘が１つのポリマーを含み、芯が別のポリマーを含む鞘−芯構成のような二成分繊維とすることができる。また、例えば並列構成のような他の構成を有する二成分繊維を用いることもできる。また、超吸収性材料の付加を用いて、吸収システムの吸収容量を高めることができる。
【００４２】
一般的に、吸収性コア２０を構成する繊維は、繊維が交差する接点で結合させることができる。この結合は、例えば、繊維を加熱して軟化させ、その交差点で互いに溶融させることによって達成することができる。代替的に、繊維は、例えばスプレー又はグラビア印刷法で付加することができる接着剤を用いることによって結合させることができる。一般的に、繊維は中実繊維とすることができ、又は、繊維又はその一部分を中空繊維にすることもできる。吸収性コア２０に用いることができる繊維は、約３ｄ〜約１０ｄのデニールを含むことが好ましい。吸収性コアの坪量は、限定するように意図されておらず、一般的に、約０．００３グラム／平方センチメートル（ｇ／ｃｍ2）〜約０．０１５ｇ／ｃｍ2である。
【００４３】
吸収性コア２０の構造は、様々な大きさ及び形状で、様々な液体吸収性材料から製造することができる。有用な材料の代表的な非制限的なリストには、セルロース材料（例えば、レーヨン、綿、木質パルプ、しぼ寄せセルロース詰め物、ティッシュラップ及び積層体、ピートモス、及び、化学的補剛、修飾、又は架橋セルロース繊維）、合成材料（例えば、ポリエステル繊維、ポリオレフィン繊維、吸収性発泡体、吸収性スポンジ、超吸収性ポリマー、吸収性ゲル化材料）、及び形成繊維（例えば、毛管チャンネル繊維及び多肢繊維）など、並びにコフォーム繊維構造を含む合成繊維及び木質パルプのようなこれらの少なくとも１つを含む組合せが含まれる。吸収性コア２０は、更に、移送部材、吸い込み部材、及びサージ層などを含むことができる。
【００４４】
上述のように、下部層１６は、一般的に液体不透過性であり、外側に向く表面を有する。下部層１６は、一部の場合では、吸収性物品を通して空気及び他の蒸気を通過させ、同時に体液の通過を遮断することができる。一般的に、あらゆる液体不透過性材料を用いて下部層１６を形成することができる。例えば、用いることができる適切な材料の１つは、マイクロエンボス加工したポリエチレン又はポリプロピレンのようなポリマーフィルムである。特定的な実施形態では、ポリエチレンフィルムの厚さは、約０．２ミル（約５．１マイクロメートル）〜約５ミル（約１２７マイクロメートル）、より詳細には、約０．５ミル（約１２．７マイクロメートル）〜約３ミル（約７６．２マイクロメートル）である。
更に、本開示の目的を達成することを妨げることのない量で上述のような他の成分及び添加物をポリマーフィルム材料に加えることができる。
【００４５】
製品はまた、カバー層１２の下に配置される第２の層である「下層」を有することができる。この材料は、熱的ボンデッドカーデッドウェブ工程、通気結合工程、又は織材料から作ることができる。これらの工程に用いられる繊維には、ポリオレフィン繊維、天然繊維、及び二成分繊維など、並びにこれらの少なくとも１つを含む組合せが含まれる。下層は、身体側カバー材料よりも高い透過性及び／又は高い濡れ性を有し、吸収性システムの吸収特性を改善することができる。必要に応じて、この層は、植物性抽出物を有することもでき、例えば、製品全体の視覚的外観を向上させるために印刷された顔料を有することもできる。
【００４６】
製品は、例えば、女性用ケア及び／又は乳児ケア製品の分野で複数の目的に対して用いることができる（例えば、ライナとして）。この製品に印しを印刷し、視覚的美観を向上させることができる。この種の印刷では、インクは、摩擦色落ちせず、又は摩擦、体温、又は流体（人間、又は界面活性剤及び／又は植物性抽出物）との接触により薄くならないように選択することが好ましい。視覚的な印しは、多くの役割を果たすことができ、とりわけ、それは、材料の吸収特性を向上させるために選択的に添加物を付加することができ、又は／及び植物性抽出物又は皮膚健康処理剤を有することができる。２つの代表的な印し模様は、蝶の異なる構成を示す図４及び図５に例示的に示されている。明らかなように、審美的及び実用的な目的に対して必要に応じて文字通り限りない数の模様を選択することができる。
【００４７】
一実施形態では、インクは、表面の濡れ性を選択的に変更するために界面活性剤と混合することができる。表面の濡れ性は、インクが材料の吸収特性を助けると期待される方法で付加される時は常に、親水性（水接触角が９０度よりも小さい）とすることができ、又は、別の場合では、この模様を製品の側面に付加する場合には、製品開発者は、流体がパッドの周囲の外側に移動しない非濡れ性の区域を有するように選択することができると考えられる。工程とその精巧さによっては、模様の特定の色が別の色よりも濡れ性になるように決めて、優先的に濡れ性の区域及び疎水性の他の区域を可能にすることができる。
インクが印刷された後に、カバー材料は、その吸収性を更に向上させるように処理することができる。これは、コロナ処理、及び／又は界面活性剤及び／又は植物性抽出物の局所付加を含む異なる方法で達成することができる。
【００４８】
別の用途は、異なる流体を吸収するように界面活性剤で処理され、競合他社の材料と区別して同じく消費者の銘柄認識を改善するのを助ける印刷模様も有するワイプ材料の製造である。これはまた、エンボス模様、及び材料特性を向上させる他のあらゆる機械的修飾と組み合わせることもできる。
印しは、各個々の吸収性物品上に印刷され、例えば、使用上の指示を提供し、製品の着用に必要な適正な方法を説明し（例えば、非対称製品の場合）、及び／又は他の情報を広めることができる。このようなインクの印しと界面活性剤及び／又は植物性抽出物とを含むカバー層は、女性用ケア製品（例えば、生理用ナプキンなど）に特に有用である。例えば、女性用ケア製品は、任意的な複数の孔及びそれに刷り込まれた印しを含むカバー層と、カバー層に結合された液体不透過性下部層と、カバー層と下部層の間の吸着コア（例えば、吸収性材料コア）とを含むことができる。印しは、界面活性剤及び／又は植物性抽出物のないカバー層に比較して、身体滲出物のカバー層内への吸収特性を増大させるのに有効な量で界面活性剤及び／又は植物性抽出物を含むインクから形成することができる。界面活性剤及び／又は植物性抽出物は、インク中に配置することができ、又はコーティングとしてカバー層の全体又は一部分の上に配置することができる。
【００４９】
例示的な実施形態を参照して本発明を説明したが、本発明の範囲から逸脱することなく様々な変更を行うことができ、その要素を均等物で置換することができることは当業者には理解されるであろう。更に、本発明の範囲から逸脱することなく特定の状況又は材料を本発明の教示に適応させるために多くの修正を行うことができる。従って、本発明は、本発明の実施を想定した最良の態様として開示された特定的な実施形態に限定されないこと、及び、本発明は、特許請求の範囲に該当する全ての実施形態を含むことになることが意図されている。
【図面の簡単な説明】
【００５０】
【図１】女性用ケア防護のための生理用ナプキンの形態の例示的な吸収性物品の切り欠き斜視図である。
【図２】吸収性物品のための穿孔されたカバー層の拡大斜視図である。
【図３】真空穿孔装置の立面図である。
【図４】カバー材料内に印刷することができる模様の例である。
【図５】カバー材料内に印刷することができる模様の例である。
【符号の説明】
【００５１】
１０  吸収性物品
１２  液体透過性カバー層
１６  液体不透過性下部層
２２  印し
２４  孔
【図１】
2007509695.tif 000003
【図２】
2007509695.tif 000004
【図３】
2007509695.tif 000005
【図４】
2007509695.tif 000006
【図５】
2007509695.tif 000007
【国際調査報告】
2007509695.tif 000008
2007509695.tif 000009
2007509695.tif 000010
2007509695.tif 000011
2007509695.tif 000012
2007509695.tif 000013